(57)【要約】【課題】体積及び重量を低減させるとともに、多様な角度で据え置く携帯用端末機のケースを提供する。【解決手段】本発明による携帯用端末機のケースは、相互連結されて携帯用端末機を両側からカバーする第１カバー及び第２カバーを含んでなり、前記第２カバーは、携帯用端末機の背面を支持する弾性力を有するように支持台と受け台とが折り曲げて連結されることを特徴とする。【選択図】図１
2017225101.tif 000002
【特許請求の範囲】
【請求項１】
相互連結されて携帯用端末機を両側からカバーする第１カバー及び第２カバーを含む携帯用端末機のケースにおいて、
前記第２カバーは、携帯用端末機の背面を支持する弾性力を有するように支持台と受け台とが折曲可能に連結されることを特徴とする、携帯用端末機のケース。
【請求項２】
前記第２カバーは、
一側面が前記第１カバーと結合され、他側面は曲面を形成する支持台と、
一側面が凹状に形成されて前記支持台の他側面と折曲可能に結合する受け台とを含むことを特徴とする、請求項１に記載の携帯用端末機のケース。
【請求項３】
前記第２カバーは、
前記支持台と前記受け台との間に、前記第１カバーに向かって凹状に形成される折曲部をさらに含むことを特徴とする、請求項２に記載の携帯用端末機のケース。
【請求項４】
前記受け台が前記折曲部を中心に回転して立つと、前記支持台が曲がることで前記受け台の回転に抵抗する弾性力が発生することを特徴とする、請求項３に記載の携帯用端末機のケース。
【請求項５】
前記受け台が前記折曲部を中心に回転して立つと、前記受け台の両側面が曲がって前記携帯用端末機に向かって突出したアーチ状を形成することを特徴とする、請求項３に記載の携帯用端末機のケース。
【請求項６】
前記受け台における突出したアーチ状の中心部分と水平を成して結合される固定部をさらに含むことを特徴とする、請求項５に記載の携帯用端末機のケース。
【請求項７】
前記固定部は、
前記携帯用端末機に接着される接着面と、
前記受け台を貫通して固定される固定軸とを含むことを特徴とする、請求項６に記載の携帯用端末機のケース。
【請求項８】
前記受け台に結合されて前記携帯用端末機の一側面を固定させる第３カバーをさらに含むことを特徴とする、請求項１に記載の携帯用端末機のケース。
【発明の詳細な説明】
【技術分野】
【０００１】
本発明は、体積及び重量を低減させるとともに、携帯用端末機を多様な角度で据え置くことが可能な携帯用端末機のケースに関する。
【背景技術】
【０００２】
スマートフォン、タブレットＰＣ及びノートパソコンなどを含む携帯用端末機は、軽くて長時間使用できるため、事務用または娯楽用として広く普及している。携帯用端末機の普及が拡大するにつれて、これに係るアクセサリー関連製品が開発されており、携帯用端末機のケースは、衝撃に弱い携帯用端末機を保護するとともに据置台として活用することができるため、その需要が最近伸びている。
【０００３】
従来の携帯用端末機ケースの種類を見てみると、ケースの背面が折れ曲がる場合は滑り止めのための突起または部品の設置が必要となり、携帯用端末機の固定のためにケース内側に重い磁石を配置しなければならないという短所がある。
【０００４】
従来技術に関連して、特許文献１には、携帯用端末機を収納しながら充電機能を含むケースの発明が開示されており、特許文献２には、内部ケースと複数の外部ケースを介して携帯用端末機を保護するとともに据え置くケースの発明が開示されている。
【０００５】
携帯用端末機のケースの体積及び重量を減少させるとともに、多様な角度で安定的に据え置くことが可能な発明が求められている。
【先行技術文献】
【特許文献】
【０００６】
【特許文献１】韓国登録特許公報第１０−１３４１３６８号
【特許文献２】韓国登録特許公報第１０−１３７９１６５号
【発明の概要】
【発明が解決しようとする課題】
【０００７】
本発明の目的は、体積及び重量を低減させるとともに、携帯用端末機を多様な角度で安定的に据え置くことが可能な携帯用端末機のケースを提供することにある。
【課題を解決するための手段】
【０００８】
本発明の一実施形態による携帯用端末機のケースは、互いに連結される第１カバー及び第２カバーを含み、前記第２カバーは、携帯用端末機の背面を支持する弾性力を有するように支持台と受け台とが折曲可能に連結される。
【０００９】
また、本発明の他の実施形態による携帯用端末機のケースは、第２カバーは、一側面が第１カバーと結合され且つ他側面は曲面を形成する支持台と、一側面が凹状に形成されて前記支持台の他側面と折曲可能に結合する受け台とを含む。
【発明の効果】
【００１０】
本発明によれば、携帯用端末機のケースは、第２カバーの一部を開いて立てれば、携帯用端末機を安定的に据え置くことができ、立てられた第２カバーの一部を第２カバーの残りの部分が曲がる弾性力によって支持するので別途の支持台または角度調節部材の結合を必要としないという長所がある。
【００１１】
また、上部に開いた受け台は、曲がりながら発生する力学的に効率的なアーチ状の構造から形成され、携帯用端末機の荷重を支持する支持力が増加するという長所がある。
【００１２】
また、固定部には接着面があるため、携帯用端末機と第２カバーが分離しないように防止するという長所がある。
【図面の簡単な説明】
【００１３】
【図１】本発明の一実施形態による携帯用端末機のケースを示す全体斜視図である。
【図２】図１の携帯用端末機のケースの他の状態を示す斜視図である。
【図３】図１の携帯用端末機のケースのまた他の状態を示す斜視図である。
【図４】図３のＩ−Ｉ’線に沿って切断した断面図である。
【図５】図４のII−II’線に沿って切断した断面図である。
【図６】本発明の他の実施形態による携帯用端末機のケースを示す全体斜視図である。
【図７】本発明のまた他の実施形態による広げた携帯用端末機のケースの一部を示す平面図である。
【発明を実施するための形態】
【００１４】
以下、添付図面を参照として、好適な実施形態による携帯用端末機のケースの構成、動作及び作用効果について詳細に説明する。説明において、同一の構成要素には同一の符号を付し、重複する説明は省略する。
【００１５】
図１は、本発明の一実施形態による携帯用端末機ケースの全体斜視図を示す。
一実施形態による携帯用端末機のケース１００は、図１に示すように、タブレット、スマートフォン及びノートパソコンなどを含む携帯用端末機１０をカバーし、前記携帯用端末機１０をカバーする第１カバー１２０及び第２カバー１４０、前記第１カバー１２０の一側面及び前記第２カバー１４０の一側面それぞれを回転可能に結合させる連結部１６０を含む。
【００１６】
ここで、前記第１カバー１２０は、溝や突起などが形成されないため、前記携帯用端末機１０のディスプレイ、または前記携帯用端末機１０の液晶周辺の衝撃に弱い部分をカバーし、前記第２カバー１４０は、前記携帯用端末機１０の背面または衝撃に強い部分をカバーすることが好ましい。
【００１７】
また、前記第１カバー１２０、第２カバー１４０及び前記連結部１６０は、前記携帯用端末機１０を保護し、外部からの衝撃を緩和するために軽くて弾性力を有する金属、高分子またはセラミックのうち、いずれか１つの材質を用いて製作できる。
【００１８】
前記第１カバー１２０は、プレート状に形成され、前記携帯用端末機１０を支持しながら前記携帯用端末機１０を保護する。また、前記第２カバー１４０も、プレート状に形成され、前記携帯用端末機１０を中心として前記第１カバー１２０と相互対称的に形成される。
【００１９】
前記連結部１６０は、前記第１カバー１２０の一側面と前記第２カバー１４０の一側面との間に形成され、前記第１カバー１２０と前記第２カバー１４０が開閉自在になるように相互連結する。
【００２０】
前記連結部１６０は、柔軟性及び弾力性を有しており、前記第１カバー１２０または前記第２カバー１４０を上方に開くと、前記連結部１６０の柔軟性及び弾力性によって、前記第１カバー１２０と前記第２カバー１４０は所定の時間が経過すると互いに折り畳まれるようになる。
【００２１】
前記第２カバー１４０は、一側面が前記連結部１６０に結合され、前記携帯用端末機１０を挟んで前記第１カバー１２０と相互対称的に形成され、前記第２カバー１４０と前記携帯用端末機１０との間には前記携帯用端末機１０を固定させる固定部が形成されることにより、前記携帯用端末機１０と前記第２カバー１４０との接着力を増加させる。
【００２２】
前記第２カバー１４０は、一側面が前記連結部１６０と結合される支持台１４１、一側面が前記支持台１４１の他側面と回転可能に結合される受け台１４２、及び前記支持台１４１と前記受け台１４２の間に形成される折曲部１４３を含む。
【００２３】
前記支持台１４１は、一側面が前記連結部１６０と結合され、他側面は前記受け台１４２に向けて突出した曲面を形成する。前記受け台１４２の一側面は凹状に形成されて前記支持台１４１の他側面と回転可能に結合される。
【００２４】
前記折曲部１４３は、前記支持台１４１と前記受け台１４２との間で前記連結部１６０と平行するように前記第２カバー１４０を横切って形成され、前記第２カバー１４０の表面上で前記受け台１４２に向かって膨らんだ弧状曲面に形成される。
【００２５】
前記折曲部１４３は、断面視で、前記支持台１４１及び前記受け台１４２の間で窪んだ凹状に形成されている。
【００２６】
前記受け台１４２が開かれると（図３に示されているように、上方に向かって回転して立てられた状態）、前記携帯用端末機１０の背面を支持することができる構造を形成するようになっている。
【００２７】
ここで、前記支持台１４１及び前記受け台１４２は、前記第２カバー１４０ではない前記第１カバー１２０に形成されてもよい。
【００２８】
図２に示すように、前記携帯用端末機のケース１００は、前記第１カバー１２０と前記受け台１４２との間に形成される固定部１８０をさらに含む。
【００２９】
前記固定部１８０は、固定軸１８１及び接着面１８２を含む。
【００３０】
また、前記固定部１８０は、前記携帯用端末機１０を保護し且つ外部の衝撃を緩和するために、軽くて弾性力を有する金属、高分子、またはセラミックのうちいずれか１つの材質を用いて製作できる。
【００３１】
前記固定部１８０は、矩形状に形成され、一部が前記受け台１４２に沿って前記携帯用端末機のケース１００の側面に突出する。前記固定軸１８１は、リベットの結合によって形成され、前記固定部１８０と前記受け台１４２を貫通して形成される。
【００３２】
前記固定部１８０は、前記第２カバー１４０と前記携帯用端末機１０との間に配置され、前記固定部１８０に形成される接着面１８２が前記携帯用端末機１０と接着されて前記携帯用端末機１０が前記携帯用端末機のケース１００から分離しないようにする。
【００３３】
前記接着面１８２には接着物質が形成され、前記携帯用端末機１０と前記固定部１８０との接着力を増加させる。従って、前記携帯用端末機のケース１００を持ち上げても、前記接着面１８２に接着された前記携帯用端末機１０とは分離しないという長所がある。
【００３４】
なお、前記携帯用端末機１０を前記携帯用端末機のケース１００の内部に固定させるための別途部材を不要とするため、前記携帯用端末機のケース１００の重量及び体積を低減することができる。
【００３５】
前記固定部１８０は、前記固定軸１８１を介して回転が可能で、使用用途に応じて前記携帯用端末機１０を据え置く位置変化のために前記固定部１８０を回転させることができる。
【００３６】
図３に示すように、前記折曲部１４３は、前記折曲部１４３の一端に形成される第１折曲部１４３ａ、及び前記折曲部１４３の他端に形成される第２折曲部１４３ｂを含む。
【００３７】
前記受け台１４２は前記折曲部１４３を中心にして上方に回転して開く（立てられる）と、前記第１カバー１２０の一部が外部に露出され、前記受け台１４２が回転しながら前記第１折曲部１４３ａ及び前記第２折曲部１４３ｂのそれぞれが前記第２カバー１４０の中心に向かって移動するようになる。
【００３８】
前記第１折曲部１４３ａ及び前記第２折曲部１４３ｂが、相互に向かって移動し（つまり内側に寄せられる）、これに伴って前記支持台１４１の他側面が上方に凸状に突出して曲がることになる。
【００３９】
また、前記第１折曲部１４３ａ及び前記第２折曲部１４３ｂの移動によって前記受け台１４２の中央は前記携帯用端末機１０に向けて突出して曲がることになる（図５を参照する）。
【００４０】
従って、前記受け台１４２が開いて回転する角度が大きくなるほど前記支持台１４１が曲がる程度が増加し、増加する前記支持台１４１の弾性力は前記受け台１４２が開いて回転することへの移動に抵抗することになる。
【００４１】
つまり、前記受け台１４２が回転して開くと、逆方向に回転して前記第１カバー１２０と密着しようとする復元力を有するようになる。
【００４２】
前記固定部１８０の下端は、前記受け台１４２が開くことで前記第１カバー１２０を押し付け、前記受け台１４２と前記第１カバー１２０との間に空間が形成される。
【００４３】
一方、前記受け台１４２の中央は前記携帯用端末機１０に向かって突出するよう曲がるため、前記受け台１４２と前記携帯用端末機１０との接触面積は減少し、前記携帯用端末機１０の安定的な据え置きは困難になる。
【００４４】
従って、前記受け台１４２と前記携帯用端末機１０との間に前記固定部１８０が配置され、前記携帯用端末機１０が安定的に前記受け台１４２に据え置かれるようにする。
【００４５】
図４に示すように、前記受け台１４２が開いて前記固定部１８０の他端が前記第１カバー１２０に押し付けられると、前記受け台１４２が上方に上昇し、前記携帯用端末機１０は前記固定部１８０に密着された状態で使用用途に応じて据え置かれる。
【００４６】
前記固定部１８０が前記携帯用端末機１０と接触する面積が増えることで、前記携帯用端末機１０をより安定的に前記受け台１４２に据え置くことが可能になり、前記第１カバー１２０の表面上に接触する前記固定部１８０の位置を変更させて、前記携帯用端末機１０が前記受け台１４２に据え置かれる角度を調節することができる。
【００４７】
さらに、前記固定部１８０と前記第１カバー１２０との接触による摩擦力によって、前記受け台１４２が回転して元の位置に復元することを防止することにより、安定的な据え置きが可能になる長所がある。
【００４８】
また、前記固定部１８０が前記携帯用端末機１０と接触する面積が増え、前記接着面１８２と接触する面積が増えれば、前記受け台１４２の弾性力によって前記受け台１４２及び前記固定部１８０が前記携帯用端末機１０を押し付け、上部に上がってしまうことを防止する。
【００４９】
また、前記支持台１４１と前記受け台１４２の内部には高分子、金属、またはセラミックで形成される板状の部材が配設され、前記受け台１４２が所定の角度以上に開く場合、前記支持台１４１の部材が前記受け台１４２の部材と接触して前記受け台１４２が開き過ぎることを防ぎ、前記携帯用端末機１０の安定的な据え置きを可能にする。
【００５０】
図５に示すように、前記携帯用端末機１０と前記受け台１４２との間には前記固定部１８０が形成され、前記固定部１８０と前記受け台１４２は、リベットによって形成された前記固定軸１８１を介して結合される。
【００５１】
前記固定軸１８１の一端は、前記固定軸１８１の内部に配置されるように形成され、前記固定軸１８１が前記携帯用端末機１０に向けて突出して前記携帯用端末機１０と接触しないようにする。
【００５２】
前記固定軸１８１の他端は、前記受け台１４２を貫通して前記受け台１４２の外部に向けて突出するか、または前記受け台１４２の内部に配置されるように形成される。
【００５３】
前記受け台１４２が開くことによって前記受け台１４２の両側面は前記固定軸１８１に向かって移動し、前記受け台１４２の中央は前記携帯用端末機１０に向かって突出して曲がるようになる。
【００５４】
前記固定部１８０の一側面は、前記受け台１４２と接触する面積が小さいが、前記固定軸１８１によって前記連結部１６０に平行となるように固定され、前記固定部１８０の他側面は、前記携帯用端末機１０と接触する面積が広く形成される。
【００５５】
従って、前記携帯用端末機１０は、前記固定部１８０を介して安定的に前記受け台１４２に据え置かれ、前記受け台１４２が曲がることで発生する、力学的に効率的なアーチ状の構造が形成されて前記携帯用端末機１０の荷重を支持する支持力が増すという長所がある。
【００５６】
また、アーチ状に変形する前記受け台１４２の構造と前記支持台１４１が曲がることによる前記受け台１４２の復元力が同時に作用するため、前記携帯用端末機１０の重量を支持するための別途部材の取り付けが不要であるという長所がある。
【００５７】
また、前記固定部１８０は、内部に磁石が配置されることで、前記携帯用端末機１０との接着力を増加させることができる。これにより、前記固定部１８０と前記携帯用端末機１０は磁性によって相互密着し、前記携帯用端末機１０が前記固定部１８０から分離して滑らないように防止することができる。
【００５８】
また、前記携帯用端末機１０を前記受け台１４２に向けて移動させれば、前記支持台１４１の弾性力によって前記受け台１４２の復元力が漸進的に増加し、前記携帯用端末機１０の重量によって前記固定部１８０に加わる圧力が増加するため、多様な角度でも前記携帯用端末機１０の重量の圧力と前記受け台１４２の復元力は相反して前記携帯用端末機１０の安定的な据え置きが可能となり、前記固定部１８０と前記第１カバー１２０を段階的に固定させる別途の固定部材が不要であるという長所がある。
【００５９】
また、前記受け台１４２の復元力が前記携帯用端末機１０の重量より高い場合、前記第１カバー１２０と接触する前記固定部１８０の他端に前記第１カバー１８０と接触すれば摩擦力を増加させる固定部材を結合させて、前記受け台１４２と前記携帯用端末機１０の据え置きを安定的に維持することができる。
【００６０】
本実施形態による携帯用端末機のケースは、第３カバー１９０を除けば、図１及び図２の携帯用端末機のケース１００と実質的に同一であるため、同一の図面符号と名称を付し、重複する説明は省略する。
【００６１】
図６に示すように、前記携帯用端末機のケースは、第３カバー１９０を含む。
【００６２】
前記第３カバー１９０は、第１係止部１９１及び第２係止部１９２を含む。
【００６３】
前記第３カバーは前記受け台１４２に結合され、前記受け台１４２の表面に沿って長く延長されて形成される。前記受け台１４２は、前記携帯用端末機１０が前記第１カバー１２０と前記第２カバー１４０との間に配置された状態で前記携帯用端末機１０の一側面と結合されて、前記携帯用端末機１０が前記受け台１４２と分離しないように固定する。
【００６４】
前記受け台１４２が前記折曲部１４３を中心として上方に回転して開くと、前記携帯用端末機１０のディスプレイ部が露出され、前記携帯用端末機１０は前記受け台１４２に自然に据え置かれる。
【００６５】
この場合、前記携帯用端末機１０は、前記第３カバー１９０によって固定された状態であり、前記携帯用端末機１０が前記受け台１４２の面積より大きい場合、前記第１カバー１２０を押し付けながら前記受け台１４２を上方に移動させる。
【００６６】
前記第１係止部１９１は、フック状に形成され、前記携帯用端末機１０の一側面と結合され、前記第２係止部１９２は、前記第１係止部１９１と同一の形状に形成され、前記携帯用端末機１０の他側面と結合される。
【００６７】
前記第１係止部１９１及び前記第２係止部１９２のサイズは、前記携帯用端末機１０と結合された状態で前記受け台１４２を前記第１カバー１２０に向かって折り畳んだ際、第１係止部１９１及び前記第２係止部１９２が前記第１カバー１２０に接触しないように前記携帯用端末機１０の厚みより低く形成される。
【００６８】
ここで、前記第３カバー１９０は、当使用者が使用する前記携帯用端末機１０の種類によって異なるサイズの第３カバーに取り替えられるように前記受け台１４２に対して着脱可能である。
【００６９】
本実施形態による携帯用端末機のケースは、折曲部１４５の形態を除けば、図１及び図２の携帯用端末機のケース１００と実質的に同様であるので、同一の図面番号と名称を付し、重複する説明は省略する。
【００７０】
図７に示すように、前記折曲部１４５は、図１の前記折曲部１４３と違って、前記折曲部１４５が前記支持台１４１と前記受け台１４２の間を横切って形成される形態は、前記連結部１６０に向かって突出した形態に形成される。
【００７１】
前記受け台１４２は、前記折曲部１４５を中心として開くと、所定の角度で回転し、前記受け台１４２が回転すれば前記支持台１４１が曲がることによって前記受け台１４２が再度逆方向に回転して復元するようにする弾性力を有している。
【００７２】
前記受け台１４２が開いて所定の角度で回転すると、前記折曲部１４５で前記受け台１４２と前記支持台１４１が接触して前記受け台１４２が回転することを防止し、前記携帯用端末機１０が据え置かれるよう抵抗力を有するようになる。
【００７３】
以上、添付図面を参照して本発明の好適な実施例について説明したが、本明細書に記載された実施例及び図面に示された構成は、本発明の最も好適な一実施例に過ぎず、本発明の技術的思想を全て代弁しているわけではないので、本出願時点でこれらを代替する様々な均等物と変形例があり得ることを理解すべきである。そのため、上述した実施形態は全ての面で例示的なものであり、限定的なものでないと理解しなければならず、本発明の範囲は詳細な説明よりは後述する特許請求の範囲によって示されており、特許請求の範囲の意味及び範囲並びにその等価概念から導出される全ての変更または変形形態が本発明の範囲に含まれるものと解釈すべきである。
【符号の説明】
【００７４】
１０      携帯用端末機
１００    携帯用端末機のケース
１２０    第１カバー
１４０    第２カバー
１４１    支持台
１４２    受け台
１４３    折曲部
１６０    連結部
１８０    固定部
１８１    固定軸
１９０    第３カバー
１９１    第１係止部
１９２    第２係止部
【図１】
2017225101.tif 000003
【図２】
2017225101.tif 000004
【図３】
2017225101.tif 000005
【図４】
2017225101.tif 000006
【図５】
2017225101.tif 000007
【図６】
2017225101.tif 000008
【図７】
2017225101.tif 000009
【手続補正書】
【提出日】平成29年9月1日(2017.9.1)
【手続補正１】
【補正対象書類名】特許請求の範囲
【補正対象項目名】全文
【補正方法】変更
【補正の内容】
【特許請求の範囲】
【請求項１】
相互連結されて携帯用端末機を両側からカバーする第１カバー及び第２カバーを含む携帯用端末機のケースにおいて、
前記第２カバーは、
一側面が前記第１カバーと結合され、他側面は曲面を形成する支持台と、
一側面が凹状に形成されて前記支持台の他側面と折曲可能に結合する受け台と、
前記支持台と前記受け台との間に、前記第１カバーに向かって凹状に形成される折曲部とを含み、
前記携帯用端末機の背面を支持する弾性力を有するように前記支持台と前記受け台とが折曲可能に連結されることを特徴とする、携帯用端末機のケース。
【請求項２】
前記受け台が前記折曲部を中心に回転して立つと、前記支持台が曲がることで前記受け台の回転に抵抗する弾性力が発生することを特徴とする、請求項１に記載の携帯用端末機のケース。
【請求項３】
前記受け台が前記折曲部を中心に回転して立つと、前記受け台の両側面が曲がって前記携帯用端末機に向かって突出したアーチ状を形成することを特徴とする、請求項１に記載の携帯用端末機のケース。
【請求項４】
前記受け台における突出したアーチ状の中心部分と水平を成して結合される固定部をさらに含むことを特徴とする、請求項３に記載の携帯用端末機のケース。
【請求項５】
前記固定部は、
前記携帯用端末機に接着される接着面と、
前記受け台を貫通して固定される固定軸とを含むことを特徴とする、請求項４に記載の携帯用端末機のケース。
【請求項６】
前記受け台に結合されて前記携帯用端末機の一側面を固定させる第３カバーをさらに含むことを特徴とする、請求項１に記載の携帯用端末機のケース。